(57)【要約】【課題】床を掃除するときに使いやすく、家具の隙間やベッドの下などを掃除するときも使いやすい電気掃除機を提供する。【解決手段】電気掃除機１は、床用吸込具１０と、床用吸込具１０に連通する集塵部３１を備え、電動送風機を内蔵した本体部３０と、床用吸込具１０に傾動可能に取り付けられ、且つ本体部３０を支持するハンドル支柱２０を備える。本体部３０は床用吸込具１０までの距離を変えられるようにハンドル支柱２０に取り付けられており、本体部３０とハンドル支柱２０の間には選択した位置に本体部３０を固定できるロック装置４０が設けられている。床用吸込具１０と本体部３０を連結する伸縮ホース３４により、床用吸込具１０と集塵部３１との連通が達成される。【選択図】図１
2011245029.tif 000002
【特許請求の範囲】
【請求項１】
床用吸込具と、前記床用吸込具に連通する集塵部を備え、電動送風機を内蔵した本体部と、前記床用吸込具に傾動可能に取り付けられ、且つ前記本体部を支持するハンドル支柱とを備え、
前記本体部は前記床用吸込具までの距離を変えられるように前記ハンドル支柱に取り付けられており、前記本体部と前記ハンドル支柱の間には選択した位置に本体部を固定できるロック装置が設けられていることを特徴とする電気掃除機。
【請求項２】
前記床用吸込具と前記本体部を連結する伸縮ホースにより前記床用吸込具と前記集塵部との連通が達成されることを特徴とする請求項１に記載の電気掃除機。
【請求項３】
前記伸縮ホースは前記ハンドル支柱の内部に格納されており、当該伸縮ホースを接続するため前記本体部から延び出した本体側接続管の移動を可能とする切開部が前記ハンドル支柱に形成されていることを特徴とする請求項２に記載の電気掃除機。
【請求項４】
前記切開部を閉ざすシャッタが設けられ、前記シャッタは前記本体側接続管によって開閉せしめられるものであって、前記本体部が前記床用吸込具から最も離れたとき、前記シャッタは全閉状態となることを特徴とする請求項３に記載の電気掃除機。
【請求項５】
前記ハンドル支柱が、前記床用吸込具と前記集塵部との連通路として機能することを特徴とする請求項１に記載の電気掃除機。
【請求項６】
前記床用吸込具に通じる支柱側接続管が前記ハンドル支柱の途中に設けられ、前記本体部には前記集塵部に通じる本体側接続管が設けられ、前記支柱側接続管と前記本体側接続管は伸縮ホースで接続されることを特徴とする請求項５に記載の電気掃除機。
【請求項７】
前記伸縮ホースは前記本体部に形成されたホース格納空間に格納されることを特徴とする請求項６に記載の電気掃除機。
【請求項８】
前記床用吸込具に通じる連通口が前記ハンドル支柱の側面に形成され、前記本体部には、当該本体部が前記床用吸込具に近づいたとき前記連通口に接続する第１の吸気口と、当該本体部が前記床用吸込具から遠ざかったとき前記連通口に接続する第２の吸気口が設けられていることを特徴とする請求項５に記載の電気掃除機。
【請求項９】
前記ハンドル支柱の側面に、前記床用吸込具に通じる第１の連通口と第２の連通口が上下に間隔を置いて形成され、前記本体部には、当該本体部が前記床用吸込具に近づいたとき前記第１の連通口に接続し、当該本体部が前記床用吸込具から遠ざかったとき前記第２の連通口に接続する吸気口が設けられていることを特徴とする請求項５に記載の電気掃除機。
【発明の詳細な説明】
【技術分野】
【０００１】
本発明は電気掃除機に関する。
【背景技術】
【０００２】
電気掃除機には様々な形態があるが、縦型、アップライト型、スティック型などと称される、床用吸込具、本体部、及びハンドルが直線的に配置された形式の電気掃除機は、置き場所をとらないことから、小規模住宅用として、または複数の電気掃除機を保有する場合の２台目以降用として、重宝される。特許文献１〜３にこのような電気掃除機の例を見ることができる。
【０００３】
特許文献１に記載された電気掃除機では、ハンドルを有する本体ケースに伸縮自在延長管の外管を固着し、外管から床に向かって引き出される内管に床用吸込具を取り付けている。
【０００４】
特許文献２に記載された電気掃除機では、下端に床用吸込具を備える本体部に、ハンドルが引き出し可能に取り付けられている。
【０００５】
特許文献３に記載された電気掃除機では、下端に床用吸込具を備える本体部の上端にハンドルが固定されている。
【先行技術文献】
【特許文献】
【０００６】
【特許文献１】特開昭６３−１９１２４号公報（国際特許分類：Ａ４７Ｌ５／３０）
【特許文献２】特開２００７−３０１２６０号公報（国際特許分類：Ａ４７Ｌ９／３２、Ａ４７Ｌ５／２８、Ａ４７Ｌ９／２６）
【特許文献３】特開２００１−２９９６５０号公報（国際特許分類：Ａ４７Ｌ９／００、Ａ４７Ｌ５／１４、Ａ４７Ｌ５／２８、Ａ４７Ｌ９／０８）
【発明の概要】
【発明が解決しようとする課題】
【０００７】
縦型電気掃除機は、床を掃除するときは、本体部が床に近い箇所にあり、全体の重心が低い方が使いやすい。ところが家具の隙間やベッドの下などを掃除するときは、そのような箇所には本体部が入らないことが多いので、床用吸込具が本体部から大きく突き出している形状の方が使いやすい。
【０００８】
特許文献１に記載の電気掃除機の場合、家具の隙間やベッドの下などを掃除するときは
伸縮自在延長管の内管を引き出し、使いやすい形状にすることができる。ところが床を掃除する場合、伸縮自在延長管の内管を引っ込めると、低い位置にハンドルが設けられていることになり、使いやすいものではなくなってしまう。
特許文献２、３に記載の電気掃除機は、床用吸込具を本体部から遠ざけることができないので、床を掃除するには良いが、家具の隙間やベッドの下などの掃除には向かない。
【０００９】
本発明は上記の点に鑑みなされたものであり、床を掃除するときに使いやすく、家具の隙間やベッドの下などを掃除するときも使いやすい電気掃除機を提供することを目的とする。
【課題を解決するための手段】
【００１０】
本発明の好ましい実施形態によれば、電気掃除機は、床用吸込具と、前記床用吸込具に連通する集塵部を備え、電動送風機を内蔵した本体部と、前記床用吸込具に傾動可能に取り付けられ、且つ前記本体部を支持するハンドル支柱とを備え、前記本体部は前記床用吸込具までの距離を変えられるように前記ハンドル支柱に取り付けられており、前記本体部と前記ハンドル支柱の間には選択した位置に本体部を固定できるロック装置が設けられている。
【００１１】
本発明の好ましい実施形態によれば、上記構成の電気掃除機において、前記床用吸込具と前記本体部を連結する伸縮ホースにより前記床用吸込具と前記集塵部との連通が達成される。
【００１２】
本発明の好ましい実施形態によれば、上記構成の電気掃除機において、前記伸縮ホースは前記ハンドル支柱の内部に格納されており、当該伸縮ホースを接続するため前記本体部から延び出した接続管の移動を可能とする切開部が前記ハンドル支柱に形成されている。
【００１３】
本発明の好ましい実施形態によれば、上記構成の電気掃除機において、前記切開部を閉ざすシャッタが設けられ、前記シャッタは前記接続管によって開閉せしめられるものであって、前記本体部が前記床用吸込具から最も離れたとき、前記シャッタは全閉状態となる。
【００１４】
本発明の好ましい実施形態によれば、上記構成の電気掃除機において、前記ハンドル支柱が、前記床用吸込具と前記集塵部との連通路として機能する。
【００１５】
本発明の好ましい実施形態によれば、上記構成の電気掃除機において、前記床用吸込具に通じる支柱側接続管が前記ハンドル支柱の途中に設けられ、前記本体部には前記集塵部に通じる本体側接続管が設けられ、前記支柱側接続管と前記本体側接続管は伸縮ホースで接続される。
【００１６】
本発明の好ましい実施形態によれば、上記構成の電気掃除機において、前記伸縮ホースは前記本体部に形成されたホース格納空間に格納される。
【００１７】
本発明の好ましい実施形態によれば、上記構成の電気掃除機において、前記床用吸込具に通じる連通口が前記ハンドル支柱の側面に形成され、前記本体部には、当該本体部が前記床用吸込具に近づいたとき前記連通口に接続する第１の吸気口と、当該本体部が前記床用吸込具から遠ざかったとき前記連通口に接続する第２の吸気口が設けられている。
【００１８】
本発明の好ましい実施形態によれば、上記構成の電気掃除機において、前記ハンドル支柱の側面に、前記床用吸込具に通じる第１の連通口と第２の連通口が上下に間隔を置いて形成され、前記本体部には、当該本体部が前記床用吸込具に近づいたとき前記第１の連通口に接続し、当該本体部が前記床用吸込具から遠ざかったとき前記第２の連通口に接続する吸気口が設けられている。
【発明の効果】
【００１９】
本発明によると、床用吸込具に取り付けられたハンドル支柱に、床用吸込具までの距離を変えられるように本体部を取り付けたものであり、床を掃除するときは本体部を床用吸込具に近づけて全体の重心を低くし、家具の隙間やベッドの下などを掃除するときは本体部を床用吸込具から遠ざけて床用吸込具が本体部から大きく突き出している形にすることができるから、状況の応じ使いやすい形態を選ぶことができる。
【図面の簡単な説明】
【００２０】
【図１】本発明の第１実施形態に係る電気掃除機の側面図で、部分的に断面で示したものである。
【図２】第１実施形態に係る電気掃除機の正面図である。
【図３】第１実施形態に係る電気掃除機の、図１と同様の側面図で、図１と異なる状態を示すものである。
【図４】第１実施形態に係る電気掃除機の、図３の状態における正面図である。
【図５】第１実施形態の変形態様に用いられる伸縮ホースの部分拡大正面図である。
【図６】図５の伸縮ホースを用いた電気掃除機の、図４と同様の正面図である。
【図７】第２実施形態に係る電気掃除機の、図６と同様の正面図である。
【図８】第２実施形態に係る電気掃除機の部分正面図である。
【図９】図８中Ａ−Ａ線の箇所の部分拡大断面図である。
【図１０】図９と同様の部分拡大断面図で、図９と異なる状態を示すものである。
【図１１】第３実施形態に係る電気掃除機の側面図で、部分的に断面で示したものである。
【図１２】第３実施形態に係る電気掃除機の、図１１と同様の側面図で、図１１と異なる状態を示すものである。
【図１３】第３実施形態に係る電気掃除機の、図１２の状態における正面図である。
【図１４】第４実施形態に係る電気掃除機の断面図である。
【図１５】第４実施形態に係る電気掃除機の断面図で、図１４と異なる状態を示すものである。
【図１６】第５実施形態に係る電気掃除機の断面図である。
【図１７】第５実施形態に係る電気掃除機の断面図で、図１６と異なる状態を示すものである。
【発明を実施するための形態】
【００２１】
以下、本発明の第１実施形態に係る電気掃除機の構造を図１から図４に基づき説明する。
【００２２】
電気掃除機１は３個の主要部分を備える。床用吸込具１０と、床用吸込具１０に傾動可能に取り付けられたハンドル支柱２０と、ハンドル支柱２０に、床用吸込具１０までの距離を変えられる形で支持される本体部３０である。
【００２３】
床用吸込具１０は、床に向き合う吸込口と、この吸込口の内部に配置され、モータにより回転して床から塵埃をかき上げるパワーブラシ（いずれも図示せず）を有し、パワーブラシの下面前方両端の箇所に設けた滑走用起毛布１１と後方２個の後輪１２で床の上に支持される。
【００２４】
ハンドル支柱２０は、図１に示す直立姿勢から後方にほぼ水平に倒れる姿勢まで、９０°近くの角度範囲で角度を変えられるように床用吸込具１０に取り付けられている。ハンドル支柱２０の上端にはハンドル２１が設けられている。ハンドル支柱２０は前面側で本体部３０を支持するため、ハンドル支柱２０を図１の直立姿勢にすれば、ハンドル支柱２０はその姿勢で安定して立つ。これが電気掃除機１の保管時の姿勢となる。この姿勢はハンドル支柱２０と床用吸込具１０の間に設けた図示しないロック装置により維持されるものであり、ハンドル支柱２０の下端近くの側面にはロック解除釦２２が設けられている。
【００２５】
本体部３０は円筒形であり、下部に集塵部３１が着脱可能に連結されている。集塵部３１はサイクロン集塵ユニットやフィルタユニットなど周知の集塵要素を内蔵する。本体部３０の内部には、集塵部３１の上部に位置する形で、図示しない電動送風機と、その電源となる同じく図示しない電池が収納されている。本体部３０の上面には電動送風機をＯＮ−ＯＦＦするスイッチ３２が設けられている。
【００２６】
本体部３０は、後部に形成された鞘部３３をハンドル支柱２０に嵌合させてハンドル支柱に取り付けられる。鞘部３３は本体部３０よりも上下方向に長く、上端と下端は本体部３０からはみ出す。鞘部３３はハンドル支柱３０に対し、軸線方向にはスライド可能であるが、軸線回りの回転は不可であるように嵌合する。
【００２７】
ハンドル支柱２０と本体部３０の間には、本体部３０を選択した位置に固定するロック装置４０が設けられる。ロック装置４０は、ハンドル支柱２０の後面に軸線方向に沿って所定間隔で刻まれた複数のノッチ４１と、鞘部３３の内部に設けられ、ばねの力でノッチ４１の１個に係合する図示しないラッチと、鞘部３３の後面に設けられたロック解除つまみ４２により構成される。ロック解除つまみ４２を引き上げればラッチがノッチ４１から外れ、本体部３０をスライドさせられるようになる。
【００２８】
床用吸込具１０と本体部３０を連結し、床用吸込具１０と集塵部３１を連通させるのは伸縮ホース３４である。伸縮ホース３４はハンドル支柱２０の内部に格納され、集塵部３１から突き出したエルボ形の本体側接続管３５に接続されている。ハンドル支柱２０の前面側には、ハンドル支柱２０の軸線方向に沿って本体側接続管３５を移動させるための切開部２３が形成されている。なお、ここで用いられている伸縮ホース３４は蛇腹タイプであり、図４に示す通り、切開部２３から見える襞は水平である。
【００２９】
電気掃除機１は次のようにして用いる。図１の保管状態から、最初にロック解除釦２２を押し、ハンドル支柱２０を自由に傾けられるようにする。この状態のハンドル支柱２０のハンドル２１を片手で持ち、スイッチ３２をＯＮにして電動送風機を駆動する。すると、床用吸込具１０から伸縮ホース３４を通って集塵部３１に入る気流が発生し、床の上の塵埃はその気流によって集塵部３１に吸い込まれ、捕集される。本体部３０と床用吸込口１０の距離が短く、電気掃除機１の重心が下の方にあるので、床の上を往復させる操作を楽に行うことができる。
【００３０】
家具の隙間やベッドの下などを掃除するときは、ロック装置４０によるロックを解除し、本体部３０をスライドさせて、図３及び図４に示すように床用吸込具１０と本体部３０の距離を広げる。これにより、床用吸込口１０を家具の隙間やベッドの下に入れるのに本体部３０が邪魔にならなくなり、目的の場所を十分に掃除することができる。
【００３１】
掃除が終了したらスイッチ３２を操作して電動送風機を停止させ、ハンドル支柱２０を直立させる。図３の状態だと重心が上にきて不安定なので、図１のように本体部３０を下げた状態で保管するのがよい。
【００３２】
伸縮ホース３４には、図５に示す螺旋タイプを用いることもできる。図６に示す通り、切開部２３から見える襞は斜めになる
本発明の他の実施形態を図７以下に示す。第１実施形態と機能的に共通する構成要素には第１実施形態で用いたのと同じ符号を付し、説明は省略する。
【００３３】
本発明の第２実施形態を図７から図１０に示す。第２実施形態では、ハンドル支柱２０の切開部２３に、伸縮ホース３４を覆い隠すためのシャッタ２４が設けられている。シャッタ２４は断面円形のパイプから一定の角度部分を切り出した形状となっており、図９、１０に示す通り、ハンドル支柱２０と伸縮ホース３４の間の隙間に挿入される。シャッタ２４は、本体側接続管３５が当たる斜面部２５を上端に有し、図示しないばねにより、図９に示す閉鎖位置に常時附勢されている。
【００３４】
本体部３０を最も床用吸込具１０から引き離したとき、すなわち床用吸込具１０から最も離れたノッチ４１にロック装置４０のラッチを係合させたとき、切開部２３は最大限露出することになる。この時、本体側接続管３５は図８に示す通り切開部２３の最上部に位置し、シャッタ２４を圧迫しない。シャッタ２４は全閉状態となり、図７に示す通り、伸縮ホース３４を覆い隠す。本体部３０を下方にスライドさせると、本体側接続管３５が斜面部２５を押し、図１０に示すようにシャッタ２４が押し開かれる。本体部３０を一番下まで下げれば、鞘部３３で切開部２３が覆い隠されるので、シャッタ２４が開いているにもかかわらず、伸縮ホース３４は外から見えない。すなわち、本体部３０を一番上に上げるか、一番下に下げるかすれば、伸縮ホース３４は覆い隠されることになる。
【００３５】
本発明の第３実施形態を図１１から図１３に示す。第３実施形態では、床用吸込具１０と集塵部３１を連通させるのに、途中まではハンドル支柱２０の内部空間を利用し、途中から伸縮ホース３４を用いる。伸縮ホース３４は、本体部３０の内部に、鞘部３３と隣り合う形で形成されたホース格納空間３６に格納されている。
【００３６】
ホース格納空間３５には、本体側接続管３５が頭を出す他、ハンドル支柱２０の途中、ほぼハンドル支柱２０の中央付近の高さのところから、支柱側接続管２６も頭を出す。支柱側接続管２６はハンドル支柱２０の内部空間を通じて床用吸込具１０に連通している。
【００３７】
本体側接続管３５は水平軸線まわりに回動可能であり、この本体側接続管３５と支柱側接続管２６を伸縮ホース３４が連結する。本体側接続管３５と支柱側接続管２６は垂直方向に整列している訳ではなく、図１１において紙面の奥行き方向に位置がずらされており、図１１の状態から本体側接続管３５が上昇しても支柱側接続管２６との間に干渉が生じないようになっている。
【００３８】
図１１のように本体部３０を下げた状態では伸縮ホース３４が伸び、本体側接続管３５は先端が上を向いている。図１２のように本体部３０が持ち上げられると、伸縮ホース３４が縮むと共にホース格納空間３６の中でよじれ、本体側接続管３５の先端が下を向く。
【００３９】
第３実施形態の電気掃除機１は、第１、第２実施形態と異なり、ハンドル支柱２０に切開部２３が存在しない。従って、本体部３０を持ち上げた場合、本体部３０の下に露出するハンドル支柱２０は外観がすっきりしている（図１３参照）。
【００４０】
本発明の第４実施形態を図１４及び図１５に示す。第４実施形態がこれまでの実施形態と異なるのは、伸縮ホースを用いていない点である。ここでは、ハンドル支柱２０の前面側の側面に、ハンドル支柱２０の内部空間を通じて床用吸込具１０に連通する連通口２７が形成される。これに対応して本体部３０の後面側の側面には、それぞれ集塵部３１に連通する第１の吸気口３７Ａと第２の吸気口３７Ｂが、上下に間隔を置いて形成される。
【００４１】
ハンドル支柱２０の側面には、連通口２７の上下に第１の閉塞パッド２８Ａと第２の閉塞パッド２８Ｂが形成される。連通口２７と第１の閉塞パッド２８Ａの間の距離、及び連通口２７と第２の閉塞パッド２８Ｂの間の距離は、第１の吸気口３７Ａと第２の吸気口３７Ｂの間の距離に等しい。
【００４２】
本体部３０の内部には、集塵部３１において塵埃捕集の役割を果たすフィルタユニット５０、フィルタユニット５０を通じて空気を吸引する電動送風機５１、及び電動送風機５１の電源となる電池５２が収納されている。
【００４３】
図１４のように本体部３０が床用吸込具１０に近づけられると、第１の吸気口３７Ａが連通口２７に接続し、第２の吸気口３７Ｂは第２の閉塞パッド２８Ｂで閉塞される。これにより、第１の吸気口３７Ａを通じて集塵部３１に空気が流れ込む。図１５のように本体部３０が床用吸込具１０から遠ざけられると、第２の吸気口３７Ｂが連通口２７に接続し、第１の吸気口３７Ａは第１の閉塞パッド２８Ａで閉塞される。これにより、第２の吸気口３７Ｂを通じて集塵部３１に空気が流れ込む。
【００４４】
本発明の第５実施形態を図１６及び図１７に示す。第５実施形態も第４実施形態と同様、伸縮ホースを用いていない。ここでは、ハンドル支柱２０の前面側の側面に、ハンドル支柱２０の内部空間を通じて床用吸込具１０に連通する第１の連通口２９Ａと第２の連通口２９Ｂが、上下に間隔を置いて形成されている。本体部３０には、第１の連通口２９Ａと第２の連通口２９Ｂを覆ってこれを閉塞する鞘部３８が設けられている。鞘部３８の１箇所に、集塵部３１に連通する吸気口３９が形成されている。
【００４５】
図１６のように本体部３０が床用吸込具１０に近づけられると、鞘部３８が第１の連通口２９Ａを閉塞し、吸気口３９が第２の連通口２９Ｂに接続する。これにより、第２の連通口２９Ｂを通じて集塵部３１に空気が流れ込む。図１７のように本体部３０が床用吸込具１０から遠ざけられると、鞘部３８が第２の連通口２９Ｂを閉塞し、吸気口３９が第１の連通口２９Ａに接続する。これにより、第１の連通口２９Ａを通じて集塵部３１に空気が流れ込む。
【００４６】
以上、本発明の実施形態につき説明したが、本発明の範囲はこれに限定されるものではなく、発明の主旨を逸脱しない範囲で種々の変更を加えて実施することができる。
【産業上の利用可能性】
【００４７】
本発明は電動送風機に広く利用可能である。
【符号の説明】
【００４８】
１    電気掃除機
１０  床用吸込具
２０  ハンドル支柱
２１  ハンドル
２３  切開部
２４  シャッタ
２６  支柱側接続管
２７  連通口
２８Ａ  第１の連通口
２８Ｂ  第２の連通口
３０  本体部
３１  集塵部
３４  伸縮ホース
３５  本体側接続管
３６  ホース格納空間
３７Ａ  第１の吸気口
３７Ｂ  第２の吸気口
３９  吸気口
４０  ロック装置
５０  フィルタユニット
５１  電動送風機
５２  電池
【図１】
2011245029.tif 000003
【図２】
2011245029.tif 000004
【図３】
2011245029.tif 000005
【図４】
2011245029.tif 000006
【図５】
2011245029.tif 000007
【図６】
2011245029.tif 000008
【図７】
2011245029.tif 000009
【図８】
2011245029.tif 000010
【図９】
2011245029.tif 000011
【図１０】
2011245029.tif 000012
【図１１】
2011245029.tif 000013
【図１２】
2011245029.tif 000014
【図１３】
2011245029.tif 000015
【図１４】
2011245029.tif 000016
【図１５】
2011245029.tif 000017
【図１６】
2011245029.tif 000018
【図１７】
2011245029.tif 000019